(57)【要約】      （修正有）【課題】グラスを転倒しにくく保持しつつ、他の食器も運ぶことができるトレイを提供する。【解決手段】トレイ１Ａは、グラスＧのステム部が通過する少なくとも１本の軌道６１が形成された上面部６２と、上面部６２に対向して配置された底面部６４と、上面部６２と底面部６４の間に配置されて上面部６２を支持する少なくとも１つの支点部６３と、を備える。軌道６１は、水平方向に連続的に伸びる逆Ｔ字空間を構成するようにされている。【選択図】図２
2020116164.tif 000002
【特許請求の範囲】
【請求項１】
グラスのステム部が通過する少なくとも１本の軌道が形成された上面部と、
前記上面部に対向して配置された底面部と、
前記上面部と前記底面部の間に配置されて前記上面部を支持する少なくとも１つの支点部と、を備え、
前記軌道は、水平方向に連続的に伸びる逆Ｔ字空間を構成するようにされている、トレイ。
【請求項２】
前記軌道は、前記上面部の外縁近傍に、外部に連通している少なくとも１つの開閉部を有している、請求項１に記載されたトレイ。
【請求項３】
前記軌道は、少なくとも、第１の方向に伸びる第１軌道部と、前記第１の方向とは逆方向の第２の方向に伸びる第２軌道部と、を連続的に有するように構成されている、請求項１又は請求項２に記載されたトレイ。
【請求項４】
前記底面部には、前記逆Ｔ字空間側に突出し、前記グラスの前記軌道に沿った移動を妨げる突起部をさらに有している、請求項１乃至請求項３のいずれか一項に記載されたトレイ。
【発明の詳細な説明】
【技術分野】
【０００１】
本発明は、主としてワイングラス等のグラスを転倒しないように保持するトレイに関する。
【背景技術】
【０００２】
従来から、飲食サービスを提供する際に、ワイングラス等のグラスが転倒することが問題となっている。この問題を解決するために、トレイの形状を工夫することで、ワイングラスの底面がトレイと接触しなくなる形式のトレイが知られている。
【先行技術文献】
【特許文献】
【０００３】
【特許文献１】特開２０１３−２３３４０５号公報
【発明の概要】
【発明が解決しようとする課題】
【０００４】
しかしながら、特許文献１にみられる従来型のトレイでは、グラス以外の他の食器を運ぶことができない、という問題があった。
【０００５】
そこで本発明は、上述したような課題に鑑みてなされたものであり、グラスを転倒しにくく保持しつつ他の食器も運ぶことができる、トレイを提供することを目的としている。
【課題を解決するための手段】
【０００６】
上述したような課題を解決するために、本発明のトレイは、グラスのステム部が通過する少なくとも１本の軌道が形成された上面部と、前記上面部に対向して配置された底面部と、前記上面部と前記底面部の間に配置されて前記上面部を支持する少なくとも１つの支点部と、を備え、前記軌道は、水平方向に連続的に伸びる逆Ｔ字空間を構成するようにされている。
【発明の効果】
【０００７】
このように、本発明のトレイは、グラスのステム部が通過する少なくとも１本の軌道が形成された上面部と、上面部に対向して配置された底面部と、上面部と底面部の間に配置されて上面部を支持する少なくとも１つの支点部と、を備え、軌道は、水平方向に連続的に伸びる逆Ｔ字空間を構成するようにされている。このような構成であるから、グラスを転倒しにくく保持しつつ、他の食器も運ぶことができる。
【図面の簡単な説明】
【０００８】
【図１】実施例のトレイの上面図である。
【図２】実施例のトレイの断面図である。
【発明を実施するための形態】
【０００９】
以下、本発明の実施の形態について図面を参照して説明する。ただし、以下の実施例は例示であり、本発明を以下の実施例の内容に限定して解釈することを意図するものではない。
【実施例】
【００１０】
（構成）
まず、図１、図２を用いて本実施例のトレイ１Ａの構成を説明する。トレイ１Ａは、ワイングラス等のグラスＧのステム部が通過する少なくとも１本の軌道６１が形成された上面部６２と、上面部６２に対向して配置された底面部６４と、上面部６２と底面部６４の間に配置されて上面部６２を支持する複数の支点部６３、・・・と、を備えている。そして、本実施例のトレイ１Ａの軌道６１は、水平方向に連続的に伸びる逆Ｔ字空間６６を構成するようにされている。
【００１１】
上面部６２は、平坦な表面を有する平板上の部材であり、全体にジグザグ形状の軌道６１が形成されている。上面部６２は、複数（図１では８個）の支点部６３、・・・によって、底面部６４と連結されている。換言すると、上面部６２は、複数の支点部６３、・・・を介して、底面部６４に支持されている。
【００１２】
軌道６１は、上面部６２の全体にジグザグ形状に形成される、断面形状が逆Ｔ字空間６６をなす連続する空間である。具体的に言うと、軌道６１は、図１の右側の部分について、３箇所でヘアピン状に１８０度折り返すように屈曲されて、４つの軌道部６１１〜６１４を有している。すなわち、軌道６１の右側部分は、第１の軌道部６１１、第２の軌道部６１２、第３の軌道部６１３、第４の軌道部６１４を有している。
【００１３】
なお、ここでは、軌道６１がジグザグ形状に構成される場合について説明したが、これに限定されるものではなく、どのような形状であってもよい。例えば、軌道６１は格子状に構成されてもよいし、同心円状に構成されてもよい。
【００１４】
同様に、軌道６１は、図１の左側の部分について、２箇所でヘアピン状に１８０度折り返すように屈曲されて、３つの軌道部６１５〜６１７を有している。すなわち、軌道６１の左側部分は、第５の軌道部６１５、第６の軌道部６１６、第７の軌道部６１７を有している。
【００１５】
上述したように、軌道６１は、少なくとも、第１の方向に伸びる第１軌道部６１１と、第１の方向とは逆方向の第２の方向に伸びる第２軌道部６１２と、を連続的に有するように構成されている。
【００１６】
さらに、本実施例の軌道６１は、上面部６２の外縁近傍に、外部に連通している少なくとも１つの開閉部６０を有している。すなわち、底面部６４の周縁を囲むように立設された側面部６５には、軌道６１に連続するようにして開閉部６０が形成されている。開閉部６０は、側面部６５に開閉自在に取り付けられており、軌道６１の端部を開いたり閉じたりできるようになっている。この開閉部６０は、ヒンジによって開閉できるように構成してもよいし、スライド方式で開閉できるように構成してもよい。
【００１７】
底面部６４は、平坦な表面を有する平板上の部材であり、上面部６２に対向するように配置されている。底面部６４は、複数（図１では８個）の支点部６３、・・・によって、上面部６２と連結されている。そして、軌道６１と対向する所定位置に、軌道６１と交差するようにして複数の突起部６７、・・・が形成されている。突起部６７は、高さの低い突起（又は条）であり、逆Ｔ字空間６６側に突出して、グラスＧのフット・プレート部に接触して、グラスＧの移動を妨げるようになっている。
【００１８】
（効果）
次に、本実施例のトレイ１Ａの奏する効果を列挙して説明する。
【００１９】
（１）上述してきたように、本実施例のトレイ１Ａは、グラスＧのステム部が通過する少なくとも１本の軌道６１が形成された上面部６２と、上面部６２に対向して配置された底面部６４と、上面部６２と底面部６４の間に配置されて上面部６２を支持する少なくとも１つの支点部６３、・・・と、を備え、軌道６１は、水平方向に連続的に伸びる逆Ｔ字空間６６を構成するようにされている。このような構成であるから、グラスＧを転倒しにくく保持しつつも、グラスＧ以外の他の食器をも運ぶことができるトレイ１Ａとなる。
【００２０】
つまり、上面部６２には、軌道６１が形成されているところ、上面部６２と底面部６４の間にフット・プレート部を挟み込むことができる。さらに、上面部６２の上に他の食器を載置することができる。
【００２１】
（２）また、軌道６１は、上面部６２の外縁近傍に、外部に連通している少なくとも１つの開閉部６０を有しているため、開閉部６０を開閉することによって、グラスＧを出し入れしやすくし、かつ、確実に保持することができる。
【００２２】
（３）さらに、軌道６１は、少なくとも、第１の方向に伸びる第１軌道部６１１と、第１の方向とは逆方向の第２の方向に伸びる第２軌道部６１２と、を連続的に有するように構成されていることにより、いっそうグラスＧを転倒しにくく、かつ、脱落しにくく保持できるようになる。すなわち、軌道６１が少なくとも正逆２方向に伸びていれば、トレイ１Ａの１回の傾倒によってグラスＧが軌道６１内を滑動して脱落することを防止できる。
【００２３】
（４）また、底面部６４には、逆Ｔ字空間６６側に突出し、グラスＧの軌道６１に沿った移動を妨げる突起部６７をさらに有しているため、グラスＧが軌道６１内を滑動しにくくすることができる。
【００２４】
以上、図面を参照して、本発明の実施例を詳述してきたが、具体的な構成は、この実施例に限らず、本発明の要旨を逸脱しない程度の設計的変更は、本発明に含まれる。
【符号の説明】
【００２５】
１Ａ        トレイ
６０        開閉部
６１        軌道
６２        上面部
６３        支点部
６４        底面部
６５        側面部
６６        逆Ｔ字空間
６７        突起部
【図１】
2020116164.tif 000003
【図２】
2020116164.tif 000004